(57)【要約】【課題】筒体の長手方向の寸法ばらつきが生じた場合でも、筆記体のペン先の突出量のばらつきの発生を抑えることができる出没式筆記具を提供する。【解決手段】軸筒２が、前端に出没孔３１を備えた前軸３と、該前軸３の後端部に螺合可能な後軸４とからなる。後軸４が、操作部４３と、該操作部４３の操作により筆記体７を前後方向に移動させる出没機構とを備える。前軸３の外周面に形成した段部３３に、筒体６の一端を前後方向に当接させる。段部３３より前方または後方の前軸３の外周面に、前軸３及び後軸４から独立した環状の固定部材５を、筒体６の他端と前後方向に当接するように取り付ける。段部３３と固定部材５とにより筒体６を前軸３の外周面に固定する。【選択図】  図１
2007307739.tif 000002
【特許請求の範囲】
【請求項１】
軸筒の内部に筆記体を前後方向に移動可能に収容し、前記筆記体のペン先を軸筒の出没孔を通して出没自在に構成し、前記軸筒の外面に硬質の筒体を備えた出没式筆記具であって、軸筒が、前端に出没孔を備えた前軸と、該前軸の後端部に螺合可能な後軸とからなり、前記後軸が、操作部と、該操作部の操作により筆記体を前後方向に移動させる出没機構とを備え、前軸の外周面に形成した段部に、筒体の一端を前後方向に当接させ、前記段部より前方または後方の前軸の外周面に、前軸及び後軸から独立した環状の固定部材を、前記筒体の他端と前後方向に当接するように取り付け、前記段部と前記固定部材とにより筒体を前軸の外周面に固定したことを特徴とする出没式筆記具。
【請求項２】
前記筒体が脆性材料からなる請求項１記載の出没式筆記具。
【請求項３】
前軸の外周面に段部を一体に形成し、前記段部より後方且つ前軸と後軸との螺合部より前方の前軸の外周面に固定部材を取り付け、前記段部に筒体の前端を当接させ、前記固定部材に筒体の後端を当接させる請求項１または２記載の出没式筆記具。
【請求項４】
前軸と後軸との螺合部より前方の前軸の外周面に段部を一体に形成し、前記段部より前方の前軸の外周面に固定部材を取り付け、前記段部に筒体の後端を当接させ、前記固定部材に筒体の前端を当接させる請求項1または２記載の出没式筆記具。
【発明の詳細な説明】
【技術分野】
【０００１】
本発明は、軸筒の内部に筆記体を前後方向に移動可能に収容し、前記筆記体のペン先を軸筒の前端の出没孔を通して出没自在に構成した出没式筆記具に関する。尚、本発明で「前」とはペン先側を指し、「後」とはその反対側を指す。
【背景技術】
【０００２】
特許文献１には、陶器やガラス材などからなる加飾軸筒を備え且つ出没機構を具備する加飾ボールペンが開示されている。
【０００３】
【特許文献１】実公平２−２２３０３号公報
【発明の開示】
【発明が解決しようとする課題】
【０００４】
前記従来の構造は、中パイプ（本願の前軸に相当）の一端の外面に形成される段部と、中パイプの他端に結合され且つ内部に出没機構を有する係止部材（本願の後軸に相当）とによって、加飾軸筒を前後方向に挟持して固定する構造である。しかし、前記加飾軸筒（本願の筒体に相当）は、陶器やガラス材などからなる場合、長手方向の寸法ばらつきが大きくなる。そのため、前記従来の構造は、加飾軸筒に長手方向の寸法ばらつきが生じた場合、中パイプと係止部材との前後方向の位置がばらつき、その結果、筆記時の筆記体のペン先の、出没孔からの突出量にばらつきが生じ、ペン先突出量が不足したり、ペン先突出量が過剰になるおそれがある。
【０００５】
本発明は、前記従来の問題点を解決するものであって、筒体の長手方向の寸法ばらつきが生じた場合でも、筆記体のペン先の突出量のばらつきの発生を抑えることができる出没式筆記具を提供しようとするものである。
【課題を解決するための手段】
【０００６】
（構成１）
本発明は、軸筒２の内部に筆記体７を前後方向に移動可能に収容し、前記筆記体７のペン先７１を軸筒２の出没孔３１を通して出没自在に構成し、前記軸筒２の外面に硬質の筒体６を備えた出没式筆記具であって、軸筒２が、前端に出没孔３１を備えた前軸３と、該前軸３の後端部に螺合可能な後軸４とからなり、前記後軸４が、操作部４３と、該操作部４３の操作により筆記体７を前後方向に移動させる出没機構とを備え、前軸３の外周面に形成した段部３３に、筒体６の一端を前後方向に当接させ、前記段部３３より前方または後方の前軸３の外周面に、前軸３及び後軸４から独立した環状の固定部材５を、前記筒体６の他端と前後方向に当接するように取り付け、前記段部３３と前記固定部材５とにより筒体６を前軸３の外周面に固定したこと（構成１）を要件とする。
【０００７】
前記構成１の出没式筆記具１は、筒体６の長手方向の寸法ばらつきが生じたとしても、前記筒体６の長手方向の寸法ばらつきを、前軸３及び後軸４から独立した固定部材５の取り付け位置を前後方向に調節することによって吸収できる。さらに、前記構成１の出没式筆記具１は、前軸３と後軸４によって筒体６を挟持する構造ではなく、前軸３及び後軸４から独立した環状の固定部材５と段部３３とにより筒体６を固定するため、筒体６の長手方向の寸法ばらつきが生じても、その寸法ばらつきが、前端に出没孔３１を備えた前軸３と、出没機構を備えた後軸４との前後方向の位置関係に影響を及ぼさない。その結果、筒体６の長手方向の寸法ばらつきが生じた場合でも、筆記時の出没孔３１からのペン先突出量のばらつきの発生を抑えることができる。尚、前記硬質材料は、例えば、金属、木材、陶器、磁器、セラミック、土器、天然石、またはガラス等が挙げられる。
【０００８】
（構成２）
前記構成１の出没式筆記具１において、前記筒体６が脆性材料からなること（請求項２）が好ましい。
【０００９】
前記構成２の出没式筆記具１は、前記筒体６が弾性材料とは異なる触感や外観性を得る。特に、筒体６として脆性材料を採用した場合、筒体６の長手方向の寸法ばらつきが大きくなるが、前記構成１が有効に作用し、前軸３と後軸４との前後方向の位置関係を一定に保つことができ、筆記体７のペン先７１の突出量のばらつきの発生を抑えることができる。尚、前記脆性材料として、例えば、陶器、磁器、セラミック、土器、天然石、またはガラス等が挙げられる。
【００１０】
（構成３）
前記構成１または２の出没式筆記具１において、前軸３の外周面に段部３３を一体に形成し、前記段部３３より後方且つ前軸３と後軸４との螺合部３５より前方の前軸３の外周面に固定部材５を取り付け、前記段部３３に筒体６の前端を当接させ、前記固定部材５に筒体６の後端を当接させること（構成３）が好ましい。
【００１１】
前記構成３の出没式筆記具１は、筒体６の後端と当接する固定部材５を、前軸３と後軸４との螺合部３５より前方に取り付けたことにより、筒体６の後端と後軸４との前後方向の接触を確実に回避できる。
【００１２】
（構成４）
前記構成１または２の出没式筆記具１において、前軸３と後軸４との螺合部３５より前方の前軸３の外周面に段部３３を一体に形成し、前記段部３３より前方の前軸３の外周面に固定部材５を取り付け、前記段部３３に筒体６の後端を当接させ、前記固定部材５に筒体６の前端を当接させること（構成４）が好ましい。
【００１３】
前記構成４の出没式筆記具１は、筒体６の後端と当接する段部３３を、前軸３と後軸４との螺合部３５より前方の前軸３の外周面に設けたことにより、筒体６の後端と後軸４との前後方向の接触を確実に回避できる。
【発明の効果】
【００１４】
本発明は、構成１により、筒体の長手方向の寸法ばらつきが生じた場合でも、筆記時の出没孔からのペン先突出量のばらつきの発生を抑えることができる。
【００１５】
本発明は、構成２により、筒体が弾性材料とは異なる触感や外観性を得る。
【００１６】
本発明は、構成３により、筒体の後端と後軸との前後方向の接触を確実に回避できる。
【００１７】
本発明は、構成４により、筒体の後端と後軸との前後方向の接触を確実に回避できる。
【発明を実施するための最良の形態】
【００１８】
（第１の実施の形態）
図１に本発明の第１の実施の形態を示す。
【００１９】
本実施の形態の出没式筆記具１は、軸筒２と、該軸筒２内に前後方向に移動可能に収容される筆記体７（例えばボールペンレフィル）とからなる。前記軸筒２の前端には、出没孔３１が設けられ、出没孔３１を通して筆記体７のペン先７１が出没自在に構成される。また、前記軸筒２内には、筆記体７を後方に付勢するコイルスプリング８が収容されている。
【００２０】
前記軸筒２は、前軸３と後軸４とからなる。前記前軸３及び後軸４は、非脆性材料（例えば、合成樹脂または金属等）からなる筒状部材である。前記前軸３と前記後軸４とが螺合により取り付けられる。また、前記前軸３外面には筒体６が取り付けられ、前記筒体６が出没式筆記具１の筆記使用時の把持部を構成する。さらに、筒体６の後方の前軸３の外面には固定部材５が取り付けられる。前記固定部材５の取り付け手段は、螺合、圧入、嵌合等いずれであってもよいが、本実施の形態では、螺合が採用される。
【００２１】
前記前軸３は、前端に出没孔３１を備え且つ後端に鍔部３２を備える先細状の前部３Ａと、前記鍔部３２の後方に一体に連設される筒状の後部３Ｂとからなる。前記鍔部３２は、前軸３の外面に一体に形成され、鍔部３２の後面に段部３３が形成される。前記筒状の後部３Ｂの後端部外面には、第１の雄ネジ部３５（螺合部）が形成され、さらに、前記第１の雄ネジ部３５より前方に、前記第１の雄ネジ部３５より大きい外径を有する第２の雄ネジ部３６が形成される。前記第１の雄ネジ部３５と前記第２の雄ネジ部３６との間には、後軸４の前端が当接可能な当接壁部３４が形成される。前記前軸３の後部３Ｂ外面には筒体６が装着される。前記前軸３内にはコイルスプリング８が収容され、前軸３の内壁にコイルスプリング８の前端が係止される。
【００２２】
前記後軸４の前端部内面には、雌ネジ部４１が形成される。前記雌ネジ部４１は、前軸３の後部３Ｂの後端部外面の第１の雄ネジ部３５と螺合される。後軸４の前端は、前軸３との螺合完了時、第１の雄ネジ部３５と第２の雄ネジ部３６との間に形成した当接壁部３４に当接する。
【００２３】
前記後軸４の後端には、前方に押圧操作するための操作部４３を備える。また、前記後軸４の後端部外周面には、クリップ４２が設けられる。また、前記後軸４内には前記操作部４３の前方への押圧操作により筆記体７のペン先７１を出没させる出没機構（図示せず）が収容される。本実施の形態では、後軸４は、前端部内面に雌ネジ部４１を有する第１部材と、該第１部材の後方に接続される、外周面にクリップ４２及び操作部４３を備え且つ内部に出没機構が収容された第２部材とからなる複数の部材よりなる。後軸４は、この他にも、前記複数の部材（第１部材及び第２部材）を一体に形成したものでもよい。
【００２４】
前記固定部材５は、環状の部材であり、内部に雌ネジ部４１が形成される。前記固定部材５の雌ネジ部４１は、前軸３の第２の雄ネジ部３６と螺合され、前記固定部材５の前端が筒体６の後端と当接される。また、前記固定部材５の内径は、後軸４の前端部の外径より大きく設定され、それにより、固定部材５と後軸４とが前後方向に接触すること回避できる。前記固定部材５は、非脆性材料（例えば、合成樹脂または金属等）からなる。
【００２５】
前記筒体６は、脆性材料からなる。前記脆性材料は、例えば、陶器、磁器、セラミック、土器、天然石、またはガラス等が挙げられる。前記筒体６は筆記時の把持部を構成し、従来の弾性材料とは異なる触感や外観性を得る。前記筒体６の外面には、印刷により装飾模様を施すこともできる。
【００２６】
前記筒体６は、内部に前後方向の貫通孔を有する。前記貫通孔に前軸３の筒状の後部３Ｂが挿入（ここでは遊挿）される。本実施の形態の筒体６は、外面が横断面円形状の直円筒状であるため、製造が容易となり、安価に得ることができる。これ以外にも、前記筒体６６の外面の横断面形状は、円形、楕円、多角形（例えば６角形等）のいずれであってもよい。
【００２７】
前記筒体６の前端は段部３３の後端に当接され、且つ、前記筒体６の後端は固定部材５の前端に当接される。それにより、筒体６６が段部３３と固定部材５とにより前後方向に挟持される。
【００２８】
（作用）
本実施の形態の出没式筆記具１は、前軸３と後軸４によって筒体６を挟持する構造ではなく、前軸３及び後軸４から独立した環状の固定部材５と、前軸３の外面に一体に形成した段部３３とにより筒体６を固定するため、筒体６の長手方向の寸法ばらつきが生じても、その寸法ばらつきが、前端に出没孔３１を備えた前軸３と、出没機構を備えた後軸４との前後方向の位置関係に影響を及ぼさない。その結果、筒体６の長手方向の寸法ばらつきが生じた場合でも、筆記時の出没孔３１からのペン先突出量のばらつきの発生を抑えることができる。
【００２９】
また、本実施の形態の出没式筆記具１は、筒体６の後端と当接する固定部材５を、第１の雄ネジ部３５（前軸３と後軸４との螺合部）より前方に取り付けたことにより、筒体６の後端と後軸４との前後方向の接触を確実に回避できる。
【００３０】
（第２の実施の形態）
図２に本発明の第２の実施の形態を示す。
【００３１】
本実施の形態の出没式筆記具１は、軸筒２と、該軸筒２内に前後方向に移動可能に収容される筆記体７（例えばボールペンレフィル）とからなる。前記軸筒２の前端には、出没孔３１が設けられ、出没孔３１を通して筆記体７のペン先７１が出没自在に構成される。また、前記軸筒２内には、筆記体７を後方に付勢するコイルスプリング８が収容されている。
【００３２】
前記軸筒２は、前軸３と後軸４とからなる。前記前軸３及び後軸４は、非脆性材料（例えば、合成樹脂または金属等）からなる筒状部材である。前記前軸３と前記後軸４とが螺合により取り付けられる。また、前記前軸３外面には筒体６が取り付けられ、前記筒体６が出没式筆記具１の筆記使用時の把持部を構成する。さらに、筒体６の前方の前軸３の外面には固定部材５が取り付けられる。前記固定部材５の取り付け手段は、螺合、圧入、嵌合等いずれであってもよいが、本実施の形態では、螺合が採用される。
【００３３】
前記前軸３は、前端に出没孔３１を備える先細状の前部３Ａと、該先細状の前部３Ａの後方に一体に連設される筒状の後部３Ｂとからなる。前記筒状の後部３Ｂの前端部外面には第２の雄ネジ部３６が形成され、前記筒状の後部３Ｂの後端部外面には、第１の雄ネジ部３５（螺合部）が形成され、さらに、前記筒状の後部３Ｂ外面の第１の雄ネジ部３５の前方には、鍔部３２が形成される。前記鍔部３２の前面は筒体６の後端が当接可能な段部３３を構成し、前記鍔部３２の後面は後軸４の前端が当接可能な当接壁部３４を構成する。前記前軸３の筒状の後部３Ｂ外面には筒体６が装着される。前記前軸３内にはコイルスプリング８が収容され、前軸３の内壁にコイルスプリング８の前端が係止される。
【００３４】
前記後軸４の前端部内面には、雌ネジ部４１が形成される。前記雌ネジ部４１は、前軸３の後部３Ｂの後端部外面の第１の雄ネジ部３５と螺合される。前軸３と後軸４の螺着後、後軸４の前端は前軸３の鍔部３２の後面の当接壁部３４と当接する。
【００３５】
前記後軸４の後端には、前方に押圧操作するための操作部４３を備える。また、前記後軸４の後端部外周面には、クリップ４２が設けられる。また、前記後軸４内には前記操作部４３の前方への押圧操作により筆記体７のペン先７１を出没させる出没機構（図示せず）が収容される。本実施の形態では、後軸４は、前端部内面に雌ネジ部４１を有する第１部材と、該第１部材の後方に接続される、外周面にクリップ４２及び操作部４３を備え且つ内部に出没機構が収容された第２部材とからなる複数の部材よりなる。後軸４は、この他にも、前記複数の部材（第１部材及び第２部材）を一体に形成したものでもよい。
【００３６】
前記固定部材５は、環状の部材であり、内部に雌ネジ部５１が形成される。前記固定部材５の雌ネジ部５１は、前軸３の第２の雄ネジ部３６と螺合され、前記固定部材５の後端が筒体６の前端と当接される。前記固定部材５は、非脆性材料（例えば、合成樹脂または金属等）からなる。
【００３７】
前記筒体６は、脆性材料からなる。前記脆性材料は、例えば、陶器、磁器、セラミック、土器、天然石、またはガラス等が挙げられる。前記筒体６は筆記時の把持部を構成し、従来の弾性材料とは異なる触感や外観性を得る。前記筒体６の外面には、印刷により装飾模様を施すこともできる。
【００３８】
前記筒体６は、内部に前後方向の貫通孔を有する。前記貫通孔に前軸３の筒状の後部３Ｂが挿入（ここでは遊挿）される。本実施の形態の筒体６は、外面が横断面円形状の直円筒状であるため、製造が容易となり、安価に得ることができる。これ以外にも、前記筒体６６の外面の横断面形状は、円形、楕円、多角形（例えば６角形等）のいずれであってもよい。
【００３９】
前記筒体６の前端は固定部材５の前端に当接され、且つ、前記筒体６の後端は段部３３（鍔部３２の前面）に当接される。それにより、筒体６が固定部材５と段部３３とにより前後方向に挟持される。
【００４０】
（作用）
本実施の形態の出没式筆記具１は、前軸３と後軸４によって筒体６を挟持する構造ではなく、前軸３及び後軸４から独立した環状の固定部材５と、前軸３の外面に一体に形成した段部３３とにより筒体６を固定するため、筒体６の長手方向の寸法ばらつきが生じても、その寸法ばらつきが、前端に出没孔３１を備えた前軸３と、出没機構を備えた後軸４との前後方向の位置関係に影響を及ぼさない。その結果、筒体６の長手方向の寸法ばらつきが生じた場合でも、筆記時の出没孔３１からのペン先突出量のばらつきの発生を抑えることができる。
【００４１】
また、本実施の形態の出没式筆記具１は、筒体６の後端と当接する段部３３を、第１の雄ネジ部３５（前軸３と後軸４との螺合部）より前方に設けたことにより、筒体６の後端と後軸４との前後方向の接触を確実に回避できる。
【図面の簡単な説明】
【００４２】
【図１】本発明の第１の実施の形態のペン先突出状態を示す要部縦断面図である。
【図２】本発明の第２の実施の形態のペン先突出状態を示す要部縦断面図である。
【符号の説明】
【００４３】
１  出没式筆記具
２  軸筒
３  前軸
３Ａ  前部
３Ｂ  後部
３１  出没孔
３２  鍔部
３３  段部
３４  当接壁部
３５  第１の雄ネジ部（螺合部）
３６  第２の雄ネジ部
４  後軸
４１  雌ネジ部
４２  クリップ
４３  操作部
５  固定部材
５１  雌ネジ部
６  筒体
７  筆記体
７１  ペン先
８  コイルスプリング
【図１】
2007307739.tif 000003
【図２】
2007307739.tif 000004